(57)【要約】【課題】  コンパクトで、大重量のディスプレイパネルの安定して支持可能であり、あおり動作や無理な荷重が掛けられた場合にも、軸や各可動部が変形・破壊されることを防ぐことができるディスプレイの支持装置を提供する。【解決手段】  ディスプレイを取り付けるためのブラケット部材と、ベースプレートを介して設置面上に立設されるスタンド部材と、前記スタンド部材とブラケット部材との間に介在する摩擦プレートと、ディスプレイの水平旋回軸をなし、前記ブラケット部材と摩擦プレートとスタンド部材を貫通する主軸と、前記スタンド部材とブラケット部材とを圧接するよう前記主軸に挿着されるばね部材と、を備えるディスプレイの支持装置のスタンド部材に、主軸支持構造が内設される。前記主軸支持構造は、少なくとも主軸支持構造１０１からブラケット部材５０に至るまでの軸部長Ｌ’より高く、主軸を受け入れ回動自在に支持する。【選択図】  図６
2005338588.tif 000002
【特許請求の範囲】
【請求項１】
ディスプレイを取り付けるためのブラケット部材と、
ベースプレートを介して、設置面上に立設されるスタンド部材と、
前記スタンド部材とブラケット部材との間に介在する摩擦プレートと、
ディスプレイの水平旋回軸をなし、前記ブラケット部材と摩擦プレートとスタンド部材を貫通する主軸と、
前記スタンド部材とブラケット部材とを圧接するよう前記主軸に挿着されるばね部材と、を備えるディスプレイの支持装置において、
前記スタンド部材の内側に、前記主軸を受け入れて回動自在に支持する主軸支持構造を内設し、
前記主軸支持構造によって支持される主軸長が、前記主軸支持構造上端から前記ブラケット部材に至るまでの主軸長より長くなるよう構成したこと、
を特徴とするディスプレイの支持装置。
【請求項２】
請求項１に記載のディスプレイの支持装置において、
前記主軸支持構造は、略円筒形であり、
主軸支持構造の外周と前記スタンド部材の内周部を連結支持する連結支持部材により、固定されていること、
を特徴とするディスプレイの支持装置。
【請求項３】
請求項１又は２に記載のディスプレイの支持装置において、更に、
前記ブラケット部材に固着される水平軸支持部材と、
前記水平軸支持部材とディスプレイ側に装着される取付部材とを連結する１対のアーム部材と、
前記水平軸支持部材によって、同軸上に並んで配設される１対のシャフトと、
前記水平軸支持部材上方を連結する連結部材と、
前記各シャフトに挿着するトーションスプリングと、を有し、
前記トーションスプリングの一端を前記水平軸支持部材側に、他端を前記アーム部材に係止し、ディスプレイの重量により前記アーム部材に作用するトルクを減殺したこと、
を特徴とするディスプレイの支持装置。
【発明の詳細な説明】
【技術分野】
【０００１】
本発明は、ディスプレイの支持装置に関し、特に、台上に載置乃至据え付ける形式のディスプレイの支持装置に関する。
【背景技術】
【０００２】
従来のＣＲＴディスプレイに加えて、薄型の液晶ディスプレイ（Liquid Crystal Display；LCD）やプラズマディスプレイパネル（Plasma  Display  Panel；PDP）が広く普及しつつあり、これらディスプレイの省スペース性を生かしつつ、パネル面の向き（水平角・俯仰角）の変更ができるようにした支持装置も、各種提案されている。例えば、特開平８−３１４３８６号公報には、薄型ディスプレイ用のディスプレイスタンドの一例が開示されている。このディスプレイスタンドは、支持アームの上端にはディスプレイ背面の水平揺動軸を挿入する軸受穴が形成され、弾性摩擦部材による所定の摩擦力の下で画面の仰角を調整することが可能となっている。また、その支持アーム下端には、回転部と、台座との間に弾性摩擦部材を配置し、該弾性摩擦部材を加圧挟持する制動部材を備えたロックレバーを設けてなっており、ロックレバーを操作することによって、弾性摩擦部材を解放し、左右方向の回転角を調整することが可能となっている。
【０００３】
また、ディスプレイ画面の向きを変える際の操作の軽快性を重視した支持装置も各種提案されている。例えば、特開２００１−１３４２００号公報には、ベース部のヒンジにコイルバネを仕込み、ディスプレイパネル及びアームの重量によるトルクと反対のトルクを与えるようにして、ディスプレイパネルの傾動操作を軽快に行うことのできるフラットパネルディスプレイ装置が紹介されている。
【０００４】
【特許文献１】特開平８−３１４３８６号公報
【特許文献２】特開２００１−１３４２００号公報
【発明の開示】
【発明が解決しようとする課題】
【０００５】
しかしながら、大型の液晶ディスプレイやプラズマディスプレイとなると、パネル自体、相当の重量を有する上、形状も横長となるため、装置自体が大重量かつ不安定となりやすい。そして、これらを支持する支持装置に、上記したディスプレイのパネル面の向き（水平角・俯仰角）の調整機構を搭載する場合には更なる配慮が要請される。例えば、画面の向きを調整する際に画面端部に加えられた力は、支持スタンド等の各部においては倍加されて作用するため、これらの支持装置の可動部は、誤って力がかけられた場合にも破壊・変形しない程度の強度を持たせることが必要となる。その一方で、その省スペース性を損なわないようなサイズに抑えることや、ディスプレイのパネル面の向き（水平角・俯仰角）の調整操作の軽快性も重要であり、かつ、静止時には安定して姿勢を維持できるようにしなければならない。
【０００６】
本発明は、上記した各事情に鑑みてなされたものであって、その目的とするところは、装置自体を大型化せずとも十分な強度を得ることが可能であり、併せて、画面の向きを軽快に変更可能とするディスプレイの支持装置を提供することにある。
【課題を解決するための手段】
【０００７】
前記課題を解決するための手段を提供する本発明の第１の視点によれば、ディスプレイを取り付けるためのブラケット部材と、ベースプレートを介して設置面上に立設されるスタンド部材と、前記スタンド部材とブラケット部材との間に介在する摩擦プレートと、ディスプレイの水平旋回軸をなし、前記ブラケット部材と摩擦プレートとスタンド部材を貫通する主軸と、前記スタンド部材とブラケット部材とを圧接するよう前記主軸に挿着されるばね部材と、を備えるディスプレイの支持装置において、前記スタンド部材に、主軸を受け入れ回動自在に支持する主軸支持構造が内設される。組み立て状態において、前記主軸支持構造によって支持される主軸長が、少なくとも前記主軸支持構造上端から前記ブラケット部材に至るまでの主軸長より長くなるよう構成される。
【発明の効果】
【０００８】
本発明によれば、ばね部材による圧接により前記摩擦プレートに適当な摩擦力が与えられるため、ディスプレイの向きを円滑かつ軽快に変更することが可能であり、また、誤って力が加えられた場合にも、破壊・変形しにくい構成を得ることができる。
【発明を実施するための最良の形態】
【０００９】
続いて、本発明の好適な実施の形態について説明する。本発明は、その好ましい形態において、ディスプレイを取り付けるためのブラケット部材（図６の５０）と、ベースプレート（図６の１１）を介して設置面上に立設されるスタンド部材（図６の１０）と、スタンド部材（図６の１０）とブラケット部材（図６の５０）との間に介在する摩擦プレート（図６の１４）と、主軸（図６の１５）と、スタンド部材（図６の１０）とブラケット部材（図６の５０）とを圧接するよう主軸（図６の１５）に挿着されるスプリングワッシャ（図６の１５３）と、を備える薄型ディスプレイの支持装置の形態で具現される。この薄型ディスプレイの支持装置のスタンド部材（図６の１０）内側には、主軸（図６の１５）の相当長を受け入れ可能な略円筒状の主軸支持構造（図６の１０１）と、主軸支持構造（図６の１０１）の高さ方向の軸線と直交する方向で、主軸支持構造（図６の１０１）の外周とスタンド部材（図１の１０）の内周部を連結支持する連結支持部材（図６の１０２）とが形成されている。
【００１０】
より具体的には、主軸（図６の１５）は、主軸支持構造（図６の１０１）に適合するよう大径部を有しており、この大径部より上方の軸部は、前記大径部より下方の軸部長に対して十分に短く、ブラケット部材（図６の５０）、摩擦プレート（図６の１４）のそれぞれに設けられた主軸孔に挿通され、主軸（図６の１５）の上端に押えプレート（図６の１６）が装着される。一方、前記大径部より下方の軸部は、主軸支持構造（図６の１０１）に挿通され、主軸（図６の１５）の下端部は、ブラケット部材（図６の５０）とスタンド部材（図６の１０）とを所定の力で圧接するようスプリングワッシャ（図６の１５３）を介装した状態で、ナット（図６の１５２）で締められ、更に、主軸（図６の１５）の先端切欠部には、ロックピン（図６の１５１）が挿入される。このようにして、スタンド部材（図６の１０）に対して、ブラケット部材（図６の５０）が回動自在に保持される。
【００１１】
このようにしてなる薄型ディスプレイの支持装置は、所定の圧着荷重でブラケット部材（図６の５０）とスタンド部材（図６の１０）を圧着して得られる所定のトルクフリクションの下で、主軸（図６の１５）を回動自在とし、ブラケット部材（図６の５０）側に取り付けられたパネル面を所定の方位に指向させることができる。また、主軸（図６の１５）は、スタンド部材（図６の１０）内部の連結支持部材（図６の１０２）によって支持される主軸支持構造（図６の１０１）によって、その高さ（長手方向長）の十分な所定長Ｌにわたって円筒状の構造でしっかり把持され、また、主軸支持構造（図６の１０１）からブラケット部材（図６の５０）に至るまでの軸部長Ｌ’を短く取っているため、余計な力が加えられにくく、また仮に、主軸の回転面以外の方向に力が加えられた場合にも、緩みが生じたり、ブラケット部材（図６の５０）やスタンド部材（図６の１０）に変形を及ぼしたりすることも、抑止される。この所定長Ｌは、主軸（図６の１５）が主軸支持構造（図６の１０１）に対し旋回自在にかつその軸の傾動を阻止するに十分な長さに設定される。
【実施例】
【００１２】
続いて、本発明の一実施例について、図面を参照して詳細に説明する。図１は、本発明の一実施例に係る薄型ディスプレイの支持装置の背面図、図２は、図１のディスプレイ支持装置の左側面図である。図１、図２を参照すると、本実施例の薄型ディスプレイの支持装置は、大きく分けて、スタンド部材１０と、スタンド部材１０上に回動自在に軸支されたブラケット部材５０と、ブラケット部材５０上に左右１対固着される略Ｌ字状の水平軸支持部材３０ａ、３０ｂと、水平軸支持部材３０ａ、３０ｂによってそれぞれ水平に支持される１対の水平シャフト９ａ、９ｂと、水平シャフト９ａ、９ｂによって軸支されるアーム部材２０ａ、２０ｂと、アーム部材２０ａ、２０ｂの先端部に固着されるディスプレイ取付部材１とからなっている。
【００１３】
スタンド部材１０の底部には、ベースプレート１１が装着されており、図示省略する更に大きなベース部を装着した状態、或いは、机上・台上等に埋設された基礎ナット等に直接螺子止めして、机上・台上等に設置することができるようになっている。また、スタンド部材１０の上端には、ブラケット部材５０の回転範囲を規制するための切欠部１００が設けられている。更に、スタンド部材１０の上方には、スタンド部材１０の切欠部１００と同様の切欠部１３１を有する摩擦プレート１３が固着されている。
【００１４】
ブラケット部材５０には、ディスプレイの大きさや重量に応じて設定される長さ・幅の底部に、所定の配置で螺子孔が設けられ、上部構造（水平軸支持部材、アーム等）を取り付け可能となっている。また、ブラケット部材５０には、幅方向に延在し前後に対向する小側壁部と旋回規制爪５１とが成型されている。更に、ブラケット部材５０の底部には、摩擦プレート１４が固着されている。摩擦プレート１３、１４は、例えば、いずれか一方をステンレス鋼とし、他の一方をりん青銅として、ブラケット部材５０のスタンド部材１０に対する摺動に際して、摩擦面を構成する。
【００１５】
また、ブラケット部材５０には、底部と側壁部とからなる略Ｌ字型の水平軸支持部材３０ａ、３０ｂが、左右に配置・固着される。水平軸支持部材３０ａ、３０ｂの側壁部には、水平シャフト９ａ、９ｂを水平軸止するための変形孔と、掛止爪３１ａ、３１ｂが形成されている。また、水平軸支持部材３０ａ、３０ｂの側壁部間の上方には、連結部材１７が配設され、側壁部外側から螺子止めされる。
【００１６】
アーム部材２０ａ、２０ｂは、それぞれ一端（ブラケット部材５０側）に、水平シャフト９ａ、９ｂの挿入孔となる大孔を有し、他端（取付部材１側）に、取付部材１側から螺子止めするための螺子孔を有する取付部２２ａ、２２ｂを有している。また、アーム部材２０ａ、２０ｂの中間には、トーションスプリング受２１ａ、２１ｂが配設されている。また、アーム部材２０ａ、２０ｂのそれぞれ前記大孔周縁には、ガイド孔２３ｂと、摩擦ワッシャ６ａ、６ｂの掛止端と適合する小孔（図示省略）とが設けられている。
【００１７】
水平シャフト９ａ、９ｂは、その一端において水平軸支持部材３０ａ、３０ｂの側壁部の変形孔に対応する断面形状を有し、水平軸支持部材３０ａ、３０ｂの側壁部の外側に固着される。この左右に突き出す形で支持される水平シャフト９ａ、９ｂに、まず、トーションスプリング４ａ、４ｂがそれぞれ挿入され、その外側に、アーム部材２０ａ、２０ｂのガイド孔２３ｂに対応する俯仰規制爪４１ａ、４１ｂを有する俯仰規制部材４０ａ、４０ｂが挿入固着される。更に、水平シャフト９ａ、９ｂには、俯仰規制爪４１ａ、４１ｂがガイド孔２３ｂ内に入るように、アーム部材２０ａ、２０ｂが挿着され、次いで、アーム部材２０ａ、２０ｂに対して摩擦ワッシャ６ａ、６ｂが掛止され、スプリングワッシャ７ａ、７ｂ、押え用の押えワッシャ８ａ、８ｂが挿嵌されて、その上から螺子止めされる。
【００１８】
そして、図２に表れたように、トーションスプリング４ｂ（４ａ、以下、右側面も同じ）の一端は、その一端が水平軸支持部材３０ｂ（３０ａ）の掛止爪３１ｂ（３１ａ）に掛止されるとともに、他の一端が、アーム部材２０ｂ（２０ａ）のトーションスプリング受２１ｂ（２１ａ）に係止される。トーションスプリング４ｂ（４ａ）の材質、線径、巻き数、巻き方向トルク、戻し方向トルク、ばね応力等の諸元は、搭載するディスプレイの重量、アーム部材２０ａ、２０ｂの長さ等によって決定され、アーム部材２０ａ、２０ｂに作用するトルクと逆方向同等のトルクがアーム部材２０ａ、２０ｂに与えられるように設定される。従って、アーム部材２０ａ、２０ｂは、ガイド孔２３ｂの延在する範囲において、軽快に回動させることが可能となっている。
【００１９】
ディスプレイ取付部材１は、液晶ディスプレイやプラズマディスプレイの背面部に適合する金物である。
【００２０】
図３は、本実施例に係るディスプレイの支持装置の水平回転可能範囲を説明するための平面図である。図３を参照すると、スタンド部材１０、摩擦プレート側の切欠部１００、１３１に、ブラケット部材５０の旋回規制爪５１が左右に移動可能するようになっており、切欠部１００、１３１が設けられた範囲で、図中点線で表されたように、ディスプレイ面を左右に回動することが可能となっている。
【００２１】
続いて、本実施例に係るスタンド部材１０の詳細構成について説明する。図４（Ａ）、図５（Ｃ）は、本実施例に係るスタンド部材の断面図であり、図４（Ｂ）、図５（Ｄ）は、同スタンド部材の底面図である。図４（Ａ）、図５（Ｃ）は、それぞれ図４（Ｂ）、図５（Ｄ）中のＡ−Ａ’、Ｃ−Ｃ’間の断面図となっている。図４（Ｂ）、図５（Ｃ）、図５（Ｄ）に表されたとおり、スタンド部材１０は、その内部に、略円筒形で所定の肉厚の主軸支持構造１０１を備えており、更に、主軸支持構造１０１は、図４（Ａ）、図４（Ｂ）に表されたとおり、スタンド部材１０の内周と連結支持部材１０２により、十字状に強固に連結されている。
【００２２】
図６は、図１のＥ−Ｅ’間の断面図である。図６を参照すると、スタンド部材１０と、ブラケット部材５０との間には、摩擦プレート１３、１４が配され、これらを貫通するに十分な長さの主軸１５によって、貫通されている。主軸１５の鍔状部より上の部分の長さは、押えワッシャ１６を挿嵌した状態で、カシメるに十分な程度である。これに対して、主軸支持構造１０１によって支持される長さＬは、少なくとも主軸支持構造１０１からブラケット部材５０に至るまでの軸部長Ｌ’より長く設定されている。要するに、主軸支持構造１０１の高さが、主軸１５の旋回方向の力が加わる点から主軸支持構造１０１までの長さより高くなるよう設定されていればよい。主軸支持構造１０１より下の主軸１５の下端には、切欠部を有するワッシャ１５５、ワッシャ１５５の切欠部に掛止する掛止端を有する摩擦ワッシャ１５４、スプリングワッシャ１５３と、が環装され、ナット１５２で締め、最後にロックピン１５１が差し込まれる。図６の例では、主軸１５の全長に対して、主軸支持構造１０１、連結支持部材１０２ともに十分な高さを有しており、主軸の左右方向の揺動のみならず、前後及び斜め方向の揺動も確実に抑止可能な構成となっている。
【００２３】
以上の構成からなるディスプレイの支持装置は、初期状態（図１、図２参照）にあるパネル面を、スタンド部材１０及びアーム部材２０ａ、２０ｂに設けられた切欠部及びガイド孔により規制される範囲において、俯仰・回転自在となっている。特に俯仰させる場面においては、２つのトーションスプリング４ａ、４ｂによってディスプレイの重量によるトルクが相殺されているため、軽快にその操作を行うことができる。また、上記したとおり、各回動部には、スプリングワッシャによって、適当な圧着荷重が与えられた摩擦部材（ワッシャ、プレート）により適切なトルクフリクションが得られるようになっているため、微調整等も容易となっている。
【００２４】
以上のパネル面の向き（水平角・俯仰角）の調整機構を搭載する実施例に係るディスプレイの支持装置は、加えて、上部構造のあおり動作や無理な荷重が掛けられること等によって、軸や各可動部が変形・破壊されることを防ぐことができる。その第１の理由は、図６に表れたとおり、そのスタンド部材１０の内部に、少なくとも主軸支持構造１０１からブラケット部材５０に至るまでの軸部長Ｌ’より長い高さＬの主軸支持構造１０１と、主軸支持構造１０１を支持する連結支持部材１０２を備えたことにあり、第２の理由は、水平軸支持部材３０ａ、３０ｂを連結する連結部材１７を備えたことにある。
【００２５】
なお、上記した実施例においては、主軸支持構造１０１の高さは、スタンド部材１０の全高の約半分程度としてあるが（図６参照）、必要とされる強度に応じて、適宜、主軸支持構造１０１の高さを長くすることも可能である。またその場合、必要に応じ、主軸１５の下端をかしめて、上端にナット等を配する構成も採用可能である。
【００２６】
また、上記した実施例からも明らかなとおり、本発明に係るディスプレイの支持装置は、既存の小型の液晶ディスプレイ用の支持装置と同様の製品フォルムを採ることが可能となる。勿論、スタンド部材１０は、図１、図２に示したものに限られず、主軸支持構造と連結支持部材を備えることが可能なものであれば、その他の形状を採用することが可能である。
【００２７】
また、上記した実施例においては、連結部材１７を水平軸支持部材３０ａ、３０ｂの側壁部内側に配し、両側から螺子止めするものとしているが、水平軸支持部材３０ａ、３０ｂの上端を掩蔽するような部材を用いて、同様に螺子止め連結する等、その他同等の連結手段も採用可能である。
【００２８】
なお、上記した実施例においては、スタンド部材１０及びアーム部材２０ａ、２０ｂに切欠部及びガイド孔を設けて、パネル面の俯仰・回転角度を所定の範囲に規制する構成としている。ベースプレート１１を設置面に螺子付けするタイプ等のディスプレイの支持装置では、パネル面の俯仰・回転角度の上記規制を行わないものとしてもよいことはもちろんである。
【００２９】
また、上記した実施例のディスプレイ支持装置においては、各回動部の随所にりん青銅からなる摩擦部材を配して、適当なトルクフリクションを得られるように構成したが、りん青銅に代えてその他の材質を用いてもよいし、ばね等その他のトルクフリクション獲得要素を用いてもよい。
【図面の簡単な説明】
【００３０】
【図１】本発明の一実施例に係るディスプレイ支持装置の背面図である。
【図２】本発明の一実施例に係るディスプレイ支持装置の側面図である。
【図３】本発明の一実施例に係るディスプレイ支持装置のスタンド部材１の平面図である。
【図４】本発明の一実施例に係るスタンド部材の断面図（Ａ）と、底面図（Ｂ）である。
【図５】本発明の一実施例に係るスタンド部材の断面図（Ｃ）と、底面図（Ｄ）である。
【図６】本発明の一実施例に係るディスプレイ支持装置の断面図である。
【符号の説明】
【００３１】
１  ディスプレイ取付部材
４ａ、４ｂ  トーションスプリング
６ａ、６ｂ、１５４  摩擦ワッシャ
７ａ、７ｂ、１５３  スプリングワッシャ
８ａ、８ｂ、  押えワッシャ
９ａ、９ｂ  水平シャフト
１０  スタンド部材
１１  ベースプレート
１３、１４  摩擦プレート
１５  主軸
１６  押えプレート
１７  連結部材
２０ａ、２０ｂ  アーム部材
２１ａ、２１ｂ  トーションスプリング受
２２ａ、２２ｂ  取付部
２３ｂ  ガイド孔
３０ａ、３０ｂ  水平軸支持部材
３１ａ、３１ｂ  掛止爪
４０ａ、４０ｂ  俯仰規制部材
４１ａ、４１ｂ  俯仰規制爪
５０  ブラケット部材
５１  旋回規制爪
１００、１３１  切欠部
１０１  主軸支持構造
１０２  連結支持部材
１５１  ロックピン
１５２  ナット
１５５  ワッシャ
【図１】
2005338588.tif 000003
【図２】
2005338588.tif 000004
【図３】
2005338588.tif 000005
【図４】
2005338588.tif 000006
【図５】
2005338588.tif 000007
【図６】
2005338588.tif 000008